(57)【要約】【課題】本発明は、床等に埋め込み設置される誘導灯において、器具の大形化を抑制するとともに、導光板を用いた光源ユニットであってモニターランプを表示板と正対する領域に設けても表示板での輝度ムラを抑えることができる誘導灯を提供する。【解決手段】器具本体２の内箱１２の開口部に正対し、かつ、開口部の長手方向に沿って第一光源ユニット３ａ、第二光源ユニット３ｂ及びモニターランプ７が並設するように設けられるものであるが、導光板６の光出射面６２からの光出射方向は、導光板６の光入射面６１とは反対側に向かって斜め方向に広がるような配光Ｗになっているため、表示板８上における第一光源ユニット３ａと第二光源ユニット３ｂとの間及びモニターランプ７の領域に導光板６からの出射光が照射されることになる。これにより、表示板８上の輝度ムラが生じ難い。【選択図】図３
2011076771.tif 000002
【特許請求の範囲】
【請求項１】
一面が開口された箱形の器具本体と；
この器具本体に前記開口を塞いで取り付けられた光拡散性の表示板と；
器具本体内に内蔵され、平板状本体、この平板状本体の一面に設けられた光出射面およびこの光出射面に略直交する端面に設けられた光入射面を有する導光板と、導光板の光入射面の長手方向に沿って配設される光源とを備える第一及び第二光源ユニットと；
光源を常用点灯または非常点灯させる点灯装置と；
器具本体に収容され、商用交流電源により充電されるバッテリと；
バッテリの充電状態を点灯により報知し、点灯状態が表示板の外部から視認できるように表示装置本体内に配設されたモニターランプと；
を備える誘導灯において、
導光板の光出射面からの光出射方向は、導光板の光入射面とは反対側に向かって斜め方向に広がるような配光になっており、
器具本体の開口部に対向し、かつ、開口部の長手方向に沿って第一光源ユニット、第二光源ユニット及びモニターランプが並設するように設けられ、
第一光源ユニットと第二光源ユニットとは第一光源ユニットの光源、導光板、第二ユニットの光源、導光板の順で並設されており、
第二光源ユニットとモニターランプとは、第二光源ユニットの導光板の光入射面とは反対側の端部とモニターランプを設置する設置部とが対向するように並設されていることを特徴とする誘導灯。
【請求項２】
一面が開口された箱形の器具本体と；
この器具本体に前記開口を塞いで取り付けられた光拡散性の表示板と；
器具本体内に内蔵され、平板状本体、この平板状本体の一面に設けられた光出射面およびこの光出射面に略直交する端面に設けられた光入射面を有する導光板と、導光板の光入射面の長手方向に沿って配設される光源とを備える光源ユニットと；
光源を常用点灯または非常点灯させる点灯装置と；
器具本体に収容され、商用交流電源により充電されるバッテリと；
バッテリの充電状態を点灯により報知し、点灯状態が表示板の外部から視認できるように表示装置本体内に配設されたモニターランプと；
を備える誘導灯において、
導光板の光出射面からの光出射方向は、導光板の光入射面とは反対側に向かって斜め方向に広がるような配光になっており、
器具本体の開口部に対向し、かつ、開口部の長手方向に沿って光源ユニットの光源、導光板の光入射面、導光板の光出射面及びモニターランプが並設するように設けられ、
光源ユニットとモニターランプとは、導光板の光入射面とは反対側の端部とモニターランプを設置する設置部とが対向するように並設されていることを特徴とする誘導灯。
【発明の詳細な説明】
【技術分野】
【０００１】
本発明は、床に埋め込まれて設置される誘導灯に関する。
【背景技術】
【０００２】
従来、床等に埋め込み設置される埋め込み形の誘導灯は、設置上の制約により器具本体の外部にモニターランプを設けることができない。そして、技術基準上は、前記埋め込み形の誘導灯のようにモニターランプが器具本体に内蔵された誘導灯では、そのメンテナンスの際にモニターランプを視認できればよいと規定されている。
【０００３】
また、この種誘導灯では、表示板の裏面から照射するように直管形の蛍光ランプを器具本体内に設ける構成が知られている（例えば特許文献１参照）。
【先行技術文献】
【特許文献】
【０００４】
【特許文献１】特開２００４−８７１５６号公報
【発明の概要】
【発明が解決しようとする課題】
【０００５】
このような従来の誘導灯は、表示板の裏面、すなわち、表示板の直下に蛍光ランプを設置するため、蛍光ランプ直上の表示板領域と蛍光ランプからは外れる表示板領域とでは、輝度ムラが発生しやすくなってしまうものであった。そこで、直下方式において輝度ムラを低減する手段として蛍光ランプと表示板とをできるだけ離すように設置することも考えられるが、これでは器具本体が大形化してしまうことになって、埋め込み深さが長くなるため好適ではない。
【０００６】
そこで、いわゆる導光板方式を用いて埋め込み形の誘導灯を実施することも考えられるが、埋め込み形の表示板は市場に多く流通している壁直付形、天井直付形等と表示板の大きさがことなるので、専用の導光板及び光源を用いることになってしまい、製造上好適ではない。
【０００７】
また、この種の誘導灯であっても、上記したようにモニターランプは必須であるので、仮に一つの導光板で埋め込み形の誘導灯を実施しようとすると、モニターランプは導光板が配置されている領域から外れた箇所に設けることになり、器具本体が大形化してしまう虞がある。また、単に表示部と正対する領域であって、導光板の端部側にモニターランプを設置することも考えられるが、モニターランプが設置されている表示板の領域に光が充分照射されれず極端に暗くなってしまう虞があり好適ではない。
【０００８】
本発明は、上記に鑑みなされたものであり、床等に埋め込み設置される誘導灯において、器具の大形化を抑制するとともに、導光板を用いた光源ユニットであってモニターランプを表示板と正対する領域に設けても表示板での輝度ムラを抑えることができる誘導灯を提供することを目的とする。
【課題を解決するための手段】
【０００９】
請求項１記載の誘導灯は、一面が開口された箱形の器具本体と；この器具本体に前記開口を塞いで取り付けられた光拡散性の表示板と；器具本体内に内蔵され、平板状本体、この平板状本体の一面に設けられた光出射面およびこの光出射面に略直交する端面に設けられた光入射面を有する導光板と、導光板の光入射面の長手方向に沿って配設される光源とを備える第一及び第二光源ユニットと；光源を常用点灯または非常点灯させる点灯装置と；
【００１０】
器具本体に収容され、商用交流電源により充電されるバッテリと；バッテリの充電状態を点灯により報知し、点灯状態が表示板の外部から視認できるように表示装置本体内に配設されたモニターランプと；を備える誘導灯において、導光板の光出射面からの光出射方向は、導光板の光入射面とは反対側に向かって斜め方向に広がるような配光になっており、
【００１１】
器具本体の開口部に対向し、かつ、開口部の長手方向に沿って第一光源ユニット、第二光源ユニット及びモニターランプが並設するように設けられ、第一光源ユニットと第二光源ユニットとは第一光源ユニットの光源、導光板、第二ユニットの光源、導光板の順で並設されており、第二光源ユニットとモニターランプとは、第二光源ユニットの導光板の光入射面とは反対側の端部とモニターランプを設置する設置部とが対向するように並設されていることを特徴とする。
【００１２】
本発明及び以下の発明において、特に指定しない限り用語の定義および技術的意味は次による。
【００１３】
光源は、点光源、線状光源および面光源等いかなる形態のものであってもよく、さらに加えると蛍光ランプ、ＬＥＤおよび有機ＥＬ等の如何なる発光作用を奏するものであってもよい。
【００１４】
表示板は、光源ユニットからの照射光により表示体のシンボルが視認できるように形成されているものであるが、光源からの照射光は直接的または間接的のいずれでもあってもよい。
【００１５】
「光源の常用点灯」とは、点灯装置が商用交流電源からの交流電圧を入力して光源を点灯させている状態をいい、「光源の非常点灯」とは、点灯装置がバッテリから直流電圧を入力して光源を点灯させている状態をいう。
【００１６】
「導光板の光入射面とは反対側に向かって斜め方向に広がるような配光」とは、導光板からの主たる光出射の配光が光入射面側から光入射面とは対向する端面側に向かって偏移している状態を示すものである。すなわち、光出射面と正対した場合には、光入射面側よりも光入射面とは反対側の端部側の照射される光量が多くなる形態である。
【００１７】
本発明の作用を説明する。本発明の誘導灯は、床等に埋め込み設置される器具本体内に導光板による導光方式を利用した一対の光源ユニットを配設するものである。そして、この際好適であるのは、一対の光源ユニットが他の種類の誘導灯で使用する光源ユニットと同様のものを一対使用することである（より好適であるのは、いわゆるＣ級やＢ級と称される壁直付形や天井直付形等の誘導灯であって、比較的数量が多く市場に流通している種類の誘導灯と共通の仕様にすることである。）。このような仕様にすることによって、埋め込み形のみでしか使用しない専用の導光板を備えておく必要がないので、汎用性も良いし製造コストが向上することがない。
【００１８】
また、器具本体の開口部に正対し、かつ、開口部の長手方向に沿って第一光源ユニット、第二光源ユニット及びモニターランプが並設するように設けられるものであるが、このうち、第一光源ユニットと第二光源ユニットとは第一光源ユニットの光源、導光板、第二ユニットの光源、導光板の順で並設されていることになる。このとき、第一光源ユニットと第二光源ユニットとの間には隙間を有する可能性があるし、第一光源ユニットと第二光源ユニットの導光板との間には第二光源ユニットの光源（当該光源は、導光板に光を入射するために設けられるもので、光源から直接表示板の方向へ光は出射しない）が位置することになる。ゆえに、第一光源ユニットと第二光源ユニットとの間は、表示板上において暗部をなりやすいが、本発明においては、導光板の光出射面からの光出射方向は、導光板の光入射面とは反対側に向かって斜め方向に広がるような配光になっているため、表示板上における第一光源ユニットと第二光源ユニットとの間に第一光源ユニットからの出射光が照射されることになる。これにより、一対の光源ユニットを並設してもその隣接部付近の表示板上が周囲の領域と比較して極端に暗くなるような輝度ムラが生じない。なお、第一光源ユニットの光源部付近の表示板領域は、器具本体内での拡散等によって光源ユニットからの光が照射されるので、極端に暗くなることはない。
【００１９】
また、第二光源ユニットとモニターランプとは、第二ユニットの導光板の光入射面とは反対側の端部とモニターランプを設置する設置部とが対向するように並設されている。これは、第二光源ユニットの導光板の配光も導光板の光入射面とは反対側に向かって斜め方向に広がるような配光であるため、第二光源ユニットとモニターランプの設置部との間やモニターランプ付近の表示板の領域に第二光源ユニットからの出射光が照射される。したがって、第二光源ユニットとモニターランプ（設置部含む）とを並設してもモニターランプ付近の表示板領域が暗くなることがない。
【００２０】
なお、第二光源ユニットとモニターランプの設置部とは間隔を有して配置されることが好適である。これは、間隔を有することによって、第二光源ユニットからの出射光がモニターランプ直上の表示板付近に照射されやすくなるためである。
【００２１】
請求項２記載の誘導灯は、一面が開口された箱形の器具本体と；この器具本体に前記開口を塞いで取り付けられた光拡散性の表示板と；器具本体内に内蔵され、平板状本体、この平板状本体の一面に設けられた光出射面およびこの光出射面に略直交する端面に設けられた光入射面を有する導光板と、導光板の光入射面の長手方向に沿って配設される光源とを備える光源ユニットと；光源を常用点灯または非常点灯させる点灯装置と；器具本体に収容され、商用交流電源により充電されるバッテリと；バッテリの充電状態を点灯により報知し、点灯状態が表示板の外部から視認できるように表示装置本体内に配設されたモニターランプと；を備える誘導灯において、導光板の光出射面からの光出射方向は、導光板の光入射面とは反対側に向かって斜め方向に広がるような配光になっており、器具本体の開口部に対向し、かつ、開口部の長手方向に沿って光源ユニットの光源、導光板の光入射面、導光板の光出射面及びモニターランプが並設するように設けられ、光源ユニットとモニターランプとは、導光板の光入射面とは反対側の端部とモニターランプを設置する設置部とが対向するように並設されていることを特徴とする。
【００２２】
本発明は、光源ユニットを一つで実現するものである。そして、本発明において好適であるのは、埋め込み形専用の導光板ではなく、いわゆるＣ級やＢ級と称される壁直付形や天井直付形等の誘導灯であって、比較的数量が多く市場に流通している種類の誘導灯における光源ユニットが共通の仕様で用いることができることである。本発明によれば、請求項１記載の発明と略同様の作用及び効果を得る。
【発明の効果】
【００２３】
請求項１及び２の発明によれば、埋め込み形の誘導灯において、導光板を用いた光源ユニットであっても器具本体の開口部に正対する領域にモニターランプを配設することができることにより、モニターランプを配設するための特別なスペースを設けることがないので、誘導灯の大形化を抑制することができる。また、導光板を用いた光源ユニットであってモニターランプを表示板と正対する領域に設けても表示板での輝度ムラを抑えることができる。
【図面の簡単な説明】
【００２４】
【図１】実施形態の誘導灯を示す説明図である。
【図２】同誘導灯の内箱及び光源ユニットの配置を示す上面図である。
【図３】同誘導灯の要部を説明する側面図である。
【図４】同誘導灯と異なる仕様の誘導灯を示す斜視図である。
【発明を実施するための形態】
【００２５】
以下、本実施形態における誘導灯１について図を参照して説明する。図１（ａ）は埋め込み形の誘導灯１を示す正面図であり、（ｂ）は誘導灯１の側面図である。図２は、誘導灯１の内箱及び内箱に配置される各光源ユニット、モニターランプ等の配置を示す上面図、図３は、同内箱内の部品の収納状態を示す概略説明図、図４は誘導灯１とは異なる種類の兼用形の誘導灯を示す斜視図である。また、各図において、同一又は相当部分には同一符号を付し、重複した説明は省略する。
【００２６】
本実施形態に係る誘導灯１は、床埋め込み形として用いられる。この誘導灯１は、器具本体２、光源ユニット３ａ、３ｂ、点灯装置４、バッテリ５、モニターランプ７、表示板８、透明保護板９、及び押え枠１０などを備えて形成されている。
【００２７】
器具本体２は、外箱１１、内箱１２を備えている。直方体状をなす外箱１１の一面例えば上面は開口されている。また、この外箱１１と同様の上面が開口された内箱１２の縦横寸法及び高さ寸法はいずれも外箱１１の対応寸法より小さく、この内箱１２は外箱１１内に収容固定されている。そして、内箱１２の開口縁部の内周面には環状の支持フランジ１２ｂが取付けられている。
【００２８】
この内箱１２には、光源３、点灯装置４、バッテリ５、反射板６、及びモニターランプ７が内蔵されている。
【００２９】
すなわち、内箱１２の底板１２ａ上には点灯装置４が取付けられている。この点灯装置４は、光源ユニット３ａ、３ｂを点灯させるための点灯回路部、及びバッテリー５に充電するための充電回路部を有している。又、底板１２ａには端部側に図３に示すように第一光源ユニット３ａを固定するためのユニット固定部１６、底板１２ａの略中央部付近に第二光源ユニット３ｂを固定するためのユニット固定部１６が設けられている。また、底板１２ａには、バッテリ５も載置されている。なお、このバッテリ５は点灯装置４及び各光源ユニット３ａ、３ｂと配線によって電気的に接続されているものである。
【００３０】
光源ユニット３ａ、３ｂは、図２、図３で示したように発光手段に複数のＬＥＤを用いホルダ部材によって前記ＬＥＤを覆っている光源であるＬＥＤモジュール３１を有し、このＬＥＤモジュール３１が配置される端面が光入射面６１であって、光入射面に略直交する面に設けられた光出射面６２を有する導光板６、及び導光板６の周囲及び光出射面６２と反対側の面を覆う枠部６３を有している。
【００３１】
そして、光源ユニット３ａ、３ｂから出射される光は、図３に示したように導光板６の光入射面６１とは反対側の端面６４に向かって斜め方向に広がり、かつ、偏移しているような配光Ｗとなっている。すなわち、光出射面６２と正対した場合には、光入射面６１側よりも反対側の端面６４側に照射される光量が多くなる形態である。
【００３２】
また、光源ユニット３ａ、３ｂは、図４で示した壁直付形と天井直付形を兼用した兼用タイプで用いられる導光板及びＬＥＤモジュールと同一仕様及び同一寸法のものが用いられている。
【００３３】
モニターランプ７は、内箱１２に内蔵されており、設置部である箱形状のモニタケース７１の上面に３つの表示部７２、７３、７４や点検スイッチ７５等を取付けたユニットで形成されている。このモニタケース７１は、内箱１２の長手方向一端部にねじ止めされている。
【００３４】
表示板８は、光拡散性材料例えば乳白色のアクリル樹脂板で形成されていて、その大きさは内箱１２の開口よりわずかに小さい。この表示板８は、その四辺を前記支持フランジ１２ｂに、内箱１２の開口側から引掛かるように被せることにより、図１、図３に示すように第一及び第二光源ユニット３ａ，３ｂを覆うとともに内箱１２の開口を塞いで取付けられている。また、表示板８はその表面に例えば避難口等を示す表示８ａを有している。表示８ａは例えば緑色の透光性塗料を印刷することで設けられており、この表示８ａ以外の地の部分はすべて非表示領域となっている。
【００３５】
また、表示板８は、表示板８の破損を防止するために透明な保護板９が前面に設けられている。この保護板９にはガラス板好ましくは強化ガラスが使用されている。この保護板９は、表示板８と略同じ大きさであって、表示板８上に積層して配置されている。そして、このような表示板８、保護板９を押え枠１０で固定している。この押え枠１０は、ステンレス鋼製であって、その外周部をねじ３２により器具本体２に取付けられている。こうして取付けられた押え枠１０は、外箱１１と内箱１２との間の四角環状の開口を閉じているとともに表示板８及び保護板９とを固定している。
【００３６】
本実施例の作用について説明する。本実施例の誘導灯１は、床に埋め込み設置される器具本体２内に導光板６による導光方式を利用した一対の光源ユニット３ａ、３ｂを配設するものである。この一対の光源ユニット３ａ、３ｂは、図４で示したようにＣ級である兼用形の比較的数量が多く市場に流通している兼用形の誘導灯１４と光源ユニットが共通にできるので、埋め込み形専用の導光板を備えておく必要がなく、汎用性も良いし製造コストが向上することがない。
【００３７】
また、器具本体２の内箱１２の開口部に正対し、かつ、開口部の長手方向に沿って第一光源ユニット３ａ、第二光源ユニット３ｂ及びモニターランプ７が並設するように設けられるものであるが、このうち、第一光源ユニット３ａと第二光源ユニット３ｂとは第一光源ユニット３ａのＬＥＤモジュール３１、導光板６、第二ユニット３ｂのＬＥＤモジュール３１、導光板６の順で並設されていることになる。このとき、第一光源ユニット３ａと第二光源ユニット３ｂとの間には隙間Ｘ（隙間Ｘは、製造ばらつきが生じても各光源ユニット３ａ、３ｂが配設することを可能とするために設けているもの。）が形成されるように配設される。また、第一光源ユニット３ａと隣接する第二光源ユニット３ｂのＬＥＤモジュール３１は、ホルダにより導光板６に光は入射するが直接表示板８の方向へ光は出射しないように設けられているため、第一光源ユニット３ａと第二光源ユニット３ｂとの間は、表示板８上において暗部となりやすい。しかしながら、本実施例においては、導光板６の光出射面６２からの光出射方向は、導光板６の光入射面６１とは反対側に向かって斜め方向に広がるような配光Ｗになっているため、表示板８上における第一光源ユニット３ａと第二光源ユニット３ｂとの間に第一光源ユニット３ａの導光板６からの出射光が照射されることになる。これにより、一対の光源ユニット３ａ、３ｂを並設してもその隣接部付近の表示板８上が周囲の領域と比較して極端に暗くなるような輝度ムラが生じない。
【００３８】
なお、第一光源ユニット３ａのＬＥＤモジュール３１付近の表示板８領域は、器具本体２内での拡散や反射等によって光が照射されるので、極端に暗くなることはない。
【００３９】
また、第二光源ユニット３ｂとモニターランプ７とは、第二光源ユニット３ｂの導光板６の光入射面６１とは反対側の端部６４とモニターランプ７を設置する設置部７１とが対向するように並設されている。これは、第二光源ユニット３ｂの導光板６の配光Ｗも導光板６の光入射面６１とは反対側に向かって斜め方向に広がるような配光Ｗであるため、第二光源ユニット３ｂとモニターランプ７の設置部７１との間やモニターランプ７付近の表示板８の領域に第二光源ユニット３ｂからの出射光が照射される。したがって、第二光源ユニット３ｂとモニターランプ７及び設置部７１とを並設してもモニターランプ７付近の表示板８領域が暗くなることがない。
【００４０】
さらに、第二光源ユニット３ｂとモニターランプ７の設置部７１とは間隔を有し、かつ、導光板６の端部６４よりもモニターランプ７の方が表示板８側となる高さ関係になっている。このように配設されることで、まず、間隔を有することによって、第二光源ユニット３ｂからの出射光がモニターランプ７の直上の表示板８付近に照射されやすくなる。また、モニターランプ７は、外部から表示の状態が視認できることが必須であるが、第二光源ユニット３ｂからの出射光がモニターランプ７の直上に照射されたとしても、モニターランプ７を表示板８に近い位置に配置しているので、モニターランプ７の点灯状態が表示板８を介しても認識しやくなる。
【００４１】
なお、本実施形態では光源ユニットを２つ用いた形態を示したが、表示板の大きさによっては、光源ユニットを一つとして同様の形態を実現することができ、この場合の作用及び効果は本実施形態と略同様である。
【符号の説明】
【００４２】
誘導灯…１、器具本体…２、第一光源ユニット…３ａ、第二光源ユニット…３ｂ、点灯装置…４、バッテリ…５、モニターランプ…７、表示板…８
【図１】
2011076771.tif 000003
【図２】
2011076771.tif 000004
【図３】
2011076771.tif 000005
【図４】
2011076771.tif 000006